(57)【要約】      （修正有）【課題】一年中保温しても費用が安く、無駄なエネルギーの消費がない、フクロモモンガ、ハリネズミ、ハムスター、などのペット用の小動物用飼育器を提供する。【解決手段】ペット用小動物の飼育器１であって、檻又はケージ２と、３８℃から３０℃の温度の巣袋３、室温の巣袋５、又は前記２つの巣袋の温度の中間の温度の巣袋４の単数又は複数の巣袋と、からなる。【選択図】図１
0003232346.tif 000002
【実用新案登録請求の範囲】
【請求項１】
檻又はケージ内に３８℃以下の温度で高温度、中温度、又は低温度の単数又は複数の巣袋からなるペット用小動物用の飼育器
【請求項２】
請求項１に記載の飼育器に使用される、ヒーターを入れるポケットを背面側に設けた巣袋
【考案の詳細な説明】
【技術分野】
【０００１】
本考案は、フクロモモンガ、ハリネズミ、ハムスター、シマリス、デグー、フェレットなどのペット用小動物の飼育器に関するものである。
【背景技術】
【０００２】
小動物を飼育するために温度調節を必要とする場合は、飼育器等を設置する室内全体を恒温状態にする方法や、冷暖房装置を備えた恒温箱等を利用する方法があるが、室内全体を恒温にするためには高価な冷暖房装置が必要となり、かつ一年中運転するための多額の運転費用も伴うと共に、無駄なエネルギーを消費する事となり、地球環境面からも適当でない。
【０００３】
このような状況において、実登３０９１９６６公報は、蓄冷作用のある保冷剤からなる冷却部、冷却部の一部に設けた通風孔により、保冷剤に当てる風量を微調節して徐々に保冷剤の機能を有効的に長時間利用して、飼育器内の温度調節をなめらかにしている。
【先行技術文献】
【特許文献】
【０００４】
【特許文献１】実登３０９１９６６
【考案の概要】
【考案が解決しようとする課題】
【０００５】
飼育器等を設置する室内全体を恒温状態にする方法や、冷暖房装置を備えた恒温箱等を利用する方法は、前者では室内全体を恒温にするための高価な冷暖房装置が必要であり、また一年中運転するための多額の運転費用も伴ない、無駄なエネルギーを消費することとなる。
【０００６】
しかし、実登３０９１９６６の考案は温度を高める必要がある場合には使用できないという課題がある。
【課題を解決するための手段】
【０００７】
上記課題を解決するために、本考案は、次の飼育器を提供する。
【０００８】
檻又はケージ内に３８℃以下の温度で高温度、中温度、又は低温度の単数又は複数の巣袋からなるペット用小動物用の飼育器。  
【０００９】
請求項１に記載の飼育器に使用される、ヒーターを入れるポケットを背面側に設けた巣袋。
【００１０】
檻又はケージ内に高温、中温、又は低温の巣袋を設けた場合、フクロモモンガ、ハリネズミ、ハムスター、シマリス、デグー、フェレットなどの小動物は、飼育者が定めた一の温度でなく、高温、中温、又は低温の巣袋のうち、適当な温度の巣袋を選んで住む。
【考案の効果】
【００１１】
檻又はケージ内に高温度、中温度、又は低温度の巣袋を設ける場合、フクロモモンガ、ハリネズミ、ハムスター、シマリス、デグー、フェレットなどの小動物は、飼育者が定めた一の温度でなく、高温度、中温度、又は低温度の巣袋のうち、適当な温度の巣袋を選んで住むので快適に過ごすことができる飼育器を実現できる。
【００１２】
本考案の飼育器は高価な冷暖房装置が必要でなく、かつ一年中保温しても費用が安く、無駄なエネルギーを消費することがない。
【図面の簡単な説明】
【００１３】
【図１】飼育器
【図２】巣袋          図中、（ａ）平面図、（ｂ）正面図、（ｃ）右側面図、（ｄ）背面図、（ｅ）底面図である。
【考案を実施するための形態】
【００１４】
次に、添付の図面を参照しながら実施例により本考案の実施の形態について詳しく説明する。
【実施例】
【００１５】
図１に本考案の飼育器の一例を示す。図において飼育器１はケージ２内に３８℃以下の温度で高温度の巣袋３、中温度の巣袋４、低温度の巣袋５からなる。巣袋は単数又は複数でもよい。
【００１６】
図２に高温度及び中温度の巣袋の一例を示す。低温度の巣袋はヒーターを設置しない巣袋である。図２において、高温度及び中温度の巣袋本体６は、外側生地は綿１００％、内側生地はポリエステルのボア生地である。ポケット７は、ヒーターを入れるためにある。前記ポケット７はマチになっており、折り畳めることができる。
【００１７】
前記ヒーター（図示していない。）は定格電力５Ｗ、室温１８℃の時、高温面３８℃、低温面３０℃のリバーシブルタイプのものがよい。定格電力５Ｗのものでは１時間当たりの電気代は約０．１３円である。高温度の巣袋ではリバーシブルタイプのヒーターを巣袋に配置する。また、中温度の巣袋では、ヒーターを設置しないで、内面生地に発熱するポリエステルのボア生地を用いる。
発熱するポリエステルには、糸に練り込んだ近赤外線吸収剤が太陽光を熱に変換するもの、糸に練り込んだ特殊セラミックスから再放出される遠赤外線により体を暖めるもの、体から発生する水蒸気を吸収し、熱に変換する吸湿発熱するものなどがある。
【００１８】
図２において、ナスカン８は巣袋６をケージに設置するために使用する。
【００１９】
巣袋本体６の底部分９は底マチになっており、底面積を広げて、小動物の居住性を高めている。ここで、マチとは、畳んだ状態では見えないが、組み立てると厚みの出てくる部分のことをいう。そして底部分にあるマチを底マチという。
【００２０】
図２に記載の寸法は一例であって記載の寸法に限定されない。
【００２１】
樹上性の生き物には、ケージの側面の金網に吊り下げて、木のウロなどに作った巣のようにも使える。また、シマリスのような半樹上性や、ハリネズミのような地中に生活するものにはケージの底網にナスカンをかけたり、そのまま置くなどして、トンネルのような巣としても使えるようになっている。   
【産業上の利用可能性】
【００２２】
フクロモモンガ、ハリネズミ、ハムスター、シマリス、デグー、フェレットなどの小動物は、ペットとして人気があり、恒温装置などの設備費がかからない、またランニングコストの安い飼育器は、産業上の利用価値がある。
【符号の説明】
【００２３】
１：飼育器、２：ケージ、３：高温度の巣袋、４：中温度の巣袋、５：低温度の巣袋、６：高温度又は中温度の巣袋本体、７：ヒーター設置用のポケット、８：ナスカン、９：巣袋の底部分
【図１】
0003232346.tif 000003
【図２】
0003232346.tif 000004
【手続補正書】
【提出日】令和3年4月5日(2021.4.5)
【手続補正１】
【補正対象書類名】実用新案登録請求の範囲
【補正対象項目名】請求項１
【補正方法】変更
【補正の内容】
【請求項１】
檻又はケージと、
３８℃から３０℃の温度の巣袋、室温の巣袋、又は前記２つの巣袋の温度の中間の温度の巣袋の単数又は複数の巣袋と、
からなるペット用小動物用の飼育器。
【手続補正２】
【補正対象書類名】実用新案登録請求の範囲
【補正対象項目名】請求項２
【補正方法】変更
【補正の内容】
【請求項２】
請求項１に記載の飼育器に使用される、ヒーターを入れるポケットを背面側に設けた巣袋。
【手続補正３】
【補正対象書類名】明細書
【補正対象項目名】０００８
【補正方法】変更
【補正の内容】
【０００８】
檻又はケージと、
３８℃から３０℃の温度（以下、「高温」という。）の巣袋、室温（以下、「低温」という。）の巣袋、又は前記２つの巣袋の温度の中間の温度（以下、「中温」という。）の巣袋の単数又は複数の巣袋と、
からなるペット用小動物用の飼育器。